(57)【要約】【課題】  異なる色再現範囲を持つ第１の画像機器と第２の画像機器とのカラーマッチングにおいて、ユーザーの好みを反映させつつ、出力する機器／用紙の特性を考慮しながら且つ、好ましいグレイ再現を実現する。【解決手段】  画像出力装置を用いて画像出力する際に、ユーザーが指定したグレイバランスを実現し且つ自然な色再現を実現するための、好ましいグレイ再現と色変わりのないグレイ再現との重み付けをユーザーが調節できる機能を有する。【選択図】  図１
2008072207.tif 000002
【特許請求の範囲】
【請求項１】
画像出力装置を用いて画像出力する際に、ユーザーが指定したグレイバランスを実現し且つ自然な色再現を実現するための、好ましいグレイ再現と色変わりのないグレイ再現との重み付けをユーザーが調節できる機能を有する画像処理装置。
【発明の詳細な説明】
【技術分野】
【０００１】
本発明は、異なる複数個の画像機器間において画像の色の見えを同様に再現したい場合に適用される色域変換方法及びこの色域変換方法が用いられた色域変換装置に関するものである。例えば、光沢感のある紙を用いてプリンタ出力した画像を、光沢感のない普通紙で再現したい場合のように、異なるメディア／デバイス間におけるカラー画像データの入出力を行う場合に用いられる。
【背景技術】
【０００２】
カラー画像機器の色再現範囲は、機器の特性により異なる。異なる機器間において、画像の色の見えが等しいような変換（カラーマッチング）を行いたい場合、狭い色再現範囲を持つ画像機器Ａの色を、画像機器Ａよりも広い色再現範囲を持つ画像機器Ｂで再現したい場合は、画像機器Ｂで、そのまま画像機器Ａの色を再現すればよいので問題はない。しかし、たとえば、モニタに表示されているカラー画像をプリンタで出力する場合のように、画像機器Ｃの色を、画像機器Ｃよりも狭い色再現範囲をもつ画像機器Ｄで再現する場合、画像機器Ｄでは、画像機器Ｃの色をそのまま再現できないという問題が発生する。
【０００３】
また、先のモニタとプリンタ間におけるカラーマッチングの例のみならず、プリンタ間でのカラーマッチングであっても、プリンタの印字方式や印刷する用紙の種類、使用する色材（インクやトナーなど）により色再現範囲が異なってくる。そのため、たとえば、同じプリンタであっても、広い色再現範囲を持つ光沢紙での再現を光沢紙よりも色再現範囲の非常に狭い普通紙で再現する場合などは、前記モニタとプリンタ間のカラーマッチングと同様の問題が発生する。
【０００４】
このように色再現範囲の異なる画像機器Ａと画像機器Ｂとのカラーマッチングでは、画像機器Ａの色をなるべく保ちつつ、画像機器Ｂの色再現範囲内にもってくるような色修正処理（ガマットマッピング）が必要となる。
【０００５】
そこで、特開２００２−２５２７７９号公報には、ユーザーの好みを考慮してグレイバランスなどのキャリブレーションを行うことができる色補正テーブル生成に関する技術が提供されている。
【特許文献１】特開２００２−２５２７７９号公報
【発明の開示】
【発明が解決しようとする課題】
【０００６】
一般に、白色は、プリント物では紙の白色に依存し、黒色は、インクやトナーの色材の色に依存する。このように白色と黒色及びその間を結ぶ無彩色軸は、機器特性への依存度が強い。先述した問題点について、図３，図４を用いて詳細に説明する。図３は、ＣＩＥＬＡＢ空間の明度（Ｌ＊）、彩度（Ｃ＊）平面において、モニタ色再現範囲とプリンタ色再現範囲、さらに機器固有の無彩色軸を表したものである。図４は、ＣＩＥＬＡＢ空間の明度（Ｌ＊）、彩度（Ｃ＊）平面において、異なる用紙及びプリンタで出力した２つのプリンタの色再現範囲、さらにそれぞれの用紙固有の無彩色軸を表したものである。このように、使用する機器或いは出力に使用する用紙の種類によって、色再現範囲のみならず無彩色軸の色みも異なる。無彩色軸の色みは、画像全体の色みの印象を決定する。従って、異なる機器間でのカラーマッチングを実現するためには、前記色再現範囲の相違のみならず、白色や黒色や無彩色軸の違いを吸収するための色修正処理も必要になる。
【０００７】
前述の通り、紙の白色やインク／トナーの黒色は、ユーザーが使用する機器や用紙の特性により様々な組み合わせを取る。しかし、紙の白色やインク／トナーの黒色がどのような再現であろうとも、グレイバランスをユーザーの好みの色調で再現したいというユーザーニーズは大きいものがある。
【０００８】
そこで、ユーザーが使用する機器や用紙の紙の白色や、インク／トナーの黒色を考慮しつつも、ユーザーの好みを反映したグレイ再現を実現する必要がある。
【０００９】
しかしながら、前述したグレイバランスの補正方法では、ユーザーは、実際に印刷されたパターンシートを見て好みのグレイバランスを選択する手法である。そのため、プリンタを使用して画像を印刷することに不慣れなユーザーは、印刷されたパターンシートから、どのグレイバランスを選択してよいかが直感的にわかりにくい。
【００１０】
そこで本発明の目的は、上述の従来手法を鑑み、異なる色再現範囲を持つ第１の画像機器と第２の画像機器とのカラーマッチングにおいて、ユーザーの好みを反映させつつ、出力する機器／用紙の特性を考慮しながら且つ、好ましいグレイ再現を実現する画像処理装置を提供することにある。
【課題を解決するための手段】
【００１１】
上記目的を達成するための一手段として、本発明は以下の構成を備える。
本発明の画像処理装置は、画像出力装置を用いて画像出力する際に、ユーザーが好ましいグレイバランスを実現するために、好ましいグレイ再現と色変わりのないグレイ再現との重み付けをユーザーが調節できる機能を有する。
【発明の効果】
【００１２】
以上説明したように本発明によれば、異なる色再現範囲を持つ第1の画像機器と第２の画像機器との間でのカラーマッチングにおいて、ユーザーの好みを反映したグレイ再現画像を簡易に作成することが可能となる。
【発明を実施するための最良の形態】
【００１３】
(第一の実施例)
以下、添付図面を参照しながら本発明の実施例を説明する。
【００１４】
図１は本発明に係る一実施形態である画像処理装置の構成を示したブロック図である。１は本発明の第一の実施形態である画像処理装置、２はモニタなど画像を表示するための画像表示装置、３はプリンタなど画像を出力するための画像出力装置、４は画像表示装置２で表示するための信号を生成する画像表示部、５は画像表示装置２に表示される色を画像出力装置３に出力するための階調変換処理などを行う画像処理部、６はプリンタプロファイル記憶部１４に記憶してあるプリンタの、再現の目標となるプリンタの色域情報が記憶してあるターゲット色記憶部、７はプリンタプロファイル記憶部１４及びターゲット記憶部６などの測色的なデバイス特性データを、あらかじめ定義した、見た目忠実なアピアランス色空間に変換する処理を行う均等色空間変換部、８は各機器固有の無彩色軸を、あらかじめ定義したアピアランス色空間における明度軸上に変換する処理を行う機器依存無彩色変換部、９はガマットマッピングを行う色域圧縮処理部、１０はユーザー指定のグレイ色へ変換を行うグレイ色変換部、１１は画像出力装置３で出力するための信号を生成する画像出力部、１２はデータ処理を行うために一時的にデータを保存するデータバッファ、１３はあらかじめ画像処理装置１内に保存してある色変換テーブルを記憶しておくデフォルトプロファイル記憶部、１４は画像出力装置３などのプリンタプロファイルを記憶してあるプリンタプロファイル記憶部、１５はユーザーが画像処理装置１を用いて操作を行うためのUI部、１６は画像出力装置３に出力するための色変換処理をおこなう色変換処理部、１７は画像表示装置２に表示される色と画像出力装置３にて出力される色とのカラーマッチングルックアップテーブルを作成するテーブル作成部、１８は好適なグレイ色を記憶する好適なグレイ色記憶部である。
【００１５】
＜全体処理＞
ここで図１５，１６は、本発明に係る一実施形態である画像処理装置１のユーザーインタフェースであり、図２は、画像処理装置１にて行われる画像処理のフローチャートである。図２のフローチャートを用いて、画像処理装置１にて行われる色域圧縮処理について詳細に説明する。
【００１６】
プリンタユーザーは、１５０１印刷設定画面において、１５０２用紙の種類、１５０３印刷品位、１５０４色調整を選択し１５０５印刷ボタンを押下することで、ユーザーが選択した設定色で簡易に印刷した出力サンプルを得ることができる。該印刷設定画面の中の１５０４色調整において自動を選択すると、プリンタドライバ内の処理としては、図１のデフォルトプロファイル記憶部１３に記憶してあるプロファイルを用いて色変換する。一方、該印刷設定画面の中の１５０４色調整においてマニュアルを指定することで、図１６のマニュアル色調整画面へ進む。図１６のマニュアル色調整画面では、１６０９マッチング方法のプルダウン画面から所望なマッチング方法を選択するなどにより色調整することが可能である。また、更に詳細な色調整を行いたい場合は、例えば、１６０２カラーバランス設定のチェックボックスをオンにすることで、シアン、マゼンタ、イエロー、ブラックの４色についてカラーバランスを調整することができる。さらに、グレイバランスの詳細な調整を行いたい場合は、１６０３グレイバランスのチェックボックスをオンにすることで調整が可能となる。具体的には、１６０８のスライドバーを調整することでグレイバランスを変更することが可能となる。本実施例では、グレイバランスの調整について、写真再現を重視するか、テキスト再現を重視するかのの比率調整を行えるようにしてある。該グレイバランス調整における詳細な説明は、図７のフローチャート、図１９を用いて後述する。以上のマニュアル色調整が終了し１６１０ＯＫボタンを押下することで、この処理がスタートする。まずステップＳ４０１では、プリンタプロファイル記憶部１４から、画像処理装置１にて色変換テーブルを作成したいプリンタ及び用紙の種類を選択し、このプリンタ／用紙に対する特性データＰｃを取得する。ステップＳ４０２では、画像処理装置１にて作成する色変換テーブルの色再現目標とすべき特性データＴｃをターゲット記憶部６から取得する。ステップＳ４０３では、均等色空間変換部７において、ステップＳ４０１にて取得したプリンタ特性データＰｃを人の視覚特性に近いアピアランス色空間などを利用して均等色空間Ｐｃ＿１に変換する。ここで人の視覚特性に近いアピアランス色空間の例としては、ＣＩＥＣＡＭ９７ｓや、ＣＩＥＣＡＭ０２などが挙げられる。本実施例では、ＣＩＥＣＡＭ０２を用いた色変換を例に説明していく。ステップＳ４０４では、色再現目標とすべき特性データＴｃを均等色空間Ｔｃ＿１に変換する。均等色空間の例としては、ステップＳ４０３で挙げたものと同様である。ステップＳ４０５では、機器依存無彩色変換部８において、プリンタ特性データＰｃ＿１のＲ＝Ｇ＝Ｂとなる色信号に対応する無彩色軸を、あらかじめ定義した均等色空間の明度軸へ変換する処理を行う。本実施例では、見た目忠実な色空間としてＣＩＥＣＡＭ０２を使用しているがこれに限定しない。プリンタ特性データＰｃ＿１の無彩色軸を明度軸上に変換する処理の詳細は、図５を用いて後述する。ステップＳ４０６では、機器依存無彩色変換部８において、目標色特性データＴｃ＿１のＲ＝Ｇ＝Ｂとなる色信号に対応する無彩色軸を、ＣＩＥＣＡＭ０２色空間の明度軸へ変換する処理を行う。ステップＳ４０６の処理の詳細も、図５を用いて後述する。ステップＳ４０７では、色域圧縮処理部９において、ステップＳ４０５で求めた色域とステップＳ４０６で求めた色域とを用いて、目標色をプリンタ特性データ色域内に収めるような変換を行う。この処理の詳細は、図６を用いて後述する。ステップＳ４０８では、グレイ色変換部１０において、プリンタ特性データ色域内に収めた目標色データのＲ＝Ｇ＝Ｂとなる色信号に対応する色信号について、明度軸上の色から、プリンタ特性データの白色及び黒色に応じたユーザー指定のグレイ色への変換を行う。この処理の詳細は、図７を用いて後述する。ステップＳ４０９では、ステップＳ４０８で求めた色域について、均等色空間から測色的な色空間へ変換する。測色的な色空間とは、たとえば、ＣＩＥＬＡＢのような色空間であり、ここでは、モニタプロファイル記憶部１３やプリンタプロファイル記憶部１４などで記憶しているデバイス特性データの色空間のことを示している。ステップＳ４１０ではステップＳ４０９までの処理で求めた色信号ＲＧＢに対応する測色値との関係と、ステップＳ４０１で取得したプリンタ特性データとの関係から、色変換テーブルを作成する。
【００１７】
＜プリンタの無彩色軸を色空間の明度軸へ変換する処理＞
次に図５、６のフローチャートと図７を用いてステップＳ４０５であるプリンタ特性データＰｃ＿１の無彩色軸を明度軸上に変換する処理の詳細を説明する。ステップＳ５０１では、プリンタ特性データＰｃ＿１の無彩色軸をＣＩＥＣＡＭ０２色空間における明度軸上に変換する際に、該変換がプリンタ特性データの色域内で急峻な変化とならないように、プリンタ特性データＰｃ＿１の無彩色軸のみの変化ではなく、プリンタ特性データＰｃ＿１の無彩色軸近傍も変化させるために、補正領域Ｒｅを算出する。本実施例では、図７に示す通り、補正領域Ｒｅは、プリンタ特性データＰＣ＿１の無彩色軸上の色Ｐ１と色空間における無彩色Ｐ０とを結ぶ線分を主軸とする楕円によって定義する。この補正領域Ｒｅは楕円で定義しているがこれに限定しない。補正領域Ｒｅ算出処理の詳細は、図６のフローチャートを用いて後述する。ステップＳ５０２では、ステップＳ５０１で定義した補正領域Ｒｅ内の色について、プリンタ特性データＰｃ＿１の無彩色軸は明度軸上に変換し、また該無彩色軸近傍の色も該変換に追従するような処理を行う。図７は、ＣＩＥＣＡＭ０２色空間の明度における色相平面を示している。プリンタ特性データＰｃ＿１における無彩色軸をＰ１、ＣＩＥＣＡＭ０２色空間の無彩色Ｐ０とする。この処理により、たとえば、線分Ｐ１ＰＢ上の色ＰＡは、
Ｐ１ＰＡ／Ｐ１ＰＢ＝Ｐ０ＰＤ／Ｐ０ＰＢ              式（１）
となる線分Ｐ０ＰＢ上の色ＰＤへ写像する。ステップＳ５０３では、補正領域Ｒｅの外の色は変換しない処理とする。
【００１８】
＜補正領域Ｒｅ算出処理＞
次に図６のフローチャートと図７の機器依存無彩色変換部８の模式図と図８の補正領域Ｒｅの模式図を用いて、ステップＳ５０１における補正領域Ｒｅ算出処理の詳細を説明する。ステップＳ６０１では、補正領域Ｒｅを定義する楕円の中心Ｇ１（Ｇａ，Ｇｂ）は、以下の式で求める。
【００１９】
Ｇａ＝Ｐａ／２                                      式（２）
Ｇｂ＝Ｐｂ／２                                      式（３）
尚、Ｐａ、Ｐｂは、プリンタ特性データＰｃ＿１の無彩色軸上の色Ｐ１におけるＣＩＥＣＡＭ０２の色度ａ，ｂである。ステップＳ６０２では、Ｐ０とＰ１との距離Ｅを算出する。０とＰ１との距離Ｅは、以下の式で求められる。
【００２０】
Ｅ＝（Ｐａ＾２＋Ｐｂ＾２）＾１／２                  式（４）
ステップＳ６０３では、補正領域Ｒｅを定義する楕円の長軸Ｌ１を算出する。楕円の長軸Ｌ１は、パラメータαを用いて、以下の式で求められる。
【００２１】
Ｌ１＝Ｅｘα                                        式（５）
ステップＳ６０４では、補正領域Ｒｅを定義する楕円の短軸Ｌ２を算出する。楕円の短軸Ｌ２は、パラメータβを用いて、以下の式で求められる。
【００２２】
Ｌ２＝Ｌ１ｘβ                                      式（６）
パラメータαは、１以上の値であり、値が大きいと補正領域Ｒｅにおける色変化は緩やかになるが、変換の影響する範囲が広がる。逆に値が小さいと変換の影響する範囲は狭まるが、領域Ｒｅの色変化が急激になり、階調性が低下することがある。パラメータβは、楕円形状を決定するパラメータで、１であれば補正領域Ｒｅは塩となる。パラメータβも、値が大きいと変換の影響する範囲が広がり、値が小さいと補正領域Ｒｅの色変化が急激となり階調性が低下する恐れがある。
【００２３】
＜目標色の無彩色軸を色空間の明度軸へ変換する処理＞
本処理は、前述したステップＳ４０５処理におけるＰ１が、目標色データＴｃ＿１の無彩色軸上の色となる他は、同一の処理である。
【００２４】
＜目標色をプリンタ色域内へ収める色域圧縮処理＞
次に図９のフローチャートと、図１０の模式図を用いてステップＳ４０７である色域圧縮処理の詳細を説明する。本処理の色域圧縮では、入力色域としてステップＳ４０６にて算出した色域、出力色域としてはステップＳ４０５にて算出した色域を使用している。ステップＳ９０１では、入力色信号Ｐの色相角を算出する。出力色域の色相角は、入力色域の色相角をそのまま使用する。ステップＳ９０２では、入力色域の各明度値における最大彩度色（色域再外郭色）ＲＧｏを算出する。ステップＳ９０３では、出力色域の色域最外郭色ＳＧｏを算出する。ステップＳ９０４では、入力色信号ＰとマッピングポイントＬｓｔを結ぶ線分ｌｓｔを算出する。ステップＳ９０５では、線分ｌｓｔとＲＧｏとの交点Ｑを算出する。ステップＳ９０６では、線分ｌｓｔとＳＧｏとの交点Ｒを算出する。ステップＳ９０７では、Ｌｓｔと交点Ｑとの距離Ｓｉｎ＿ｍａｘを算出する。ステップＳ９０８では、Ｌｓｔと入力色信号Ｐとの距離Ｓｉｎを算出する。ステップＳ９０９では、Ｌｓｔと交点Ｒとの距離Ｓｏｕｔ＿ｍａｘを算出する。ステップＳ９１０では、Ｌｓｔと出力色信号Ｘとの距離Ｓｏｕｔを算出する。ここでステップＳ９１０処理の詳細を図１１を用いて説明する。図１１は、ＳｉｎとＳｏｕｔの関係を表した彩度圧縮関数である。入力色域の方が出力色域よりも大きい場合、図１１に示すとおり、出力のＳｏｕｔは入力Ｓｉｎをそのまま再現することができないため、ＳｉｎがＳｉｎ＿ｍａｘの時、ＳｏｕｔはＳｏｕｔ＿ｍａｘとなる。彩度圧縮関数は、Ｓｏｕｔは、ある領域まで（たとえば図１１ではＳｏｕｔ＿ｍａｘのα％）はＳｉｎを保持し、高彩度領域では圧縮するようなものがある。ステップＳ９１１では、Ｓｏｕｔから出力色Ｘを算出する。
【００２５】
＜明度軸上の色をユーザー指定のグレイ再現へ修正＞
次に図１２のフローチャートと、図７を用いてステップＳ４０８の明度軸上の色をユーザー指定のグレイ再現へ変換する変換処理を説明する。ステップＳ１２０１では、プリンタの白色及び黒色の特性を考慮した好適なグレイ値を算出する。この処理の詳細は、図１３のフローチャートと図１４、図１９の模式図を用いて後述する。ステップＳ１２０２からステップＳ１２０４までの各処理は、ステップＳ４０５における処理とほぼ同様である。図７の色相平面上において、原点Ｐ０に位置するグレイライン上の色度点をＰ１、ステップＳ１２０１にて算出する好適グレイをＰ０としてステップＳ４０５における処理と同様の処理を行う。また、補正領域Ｒｅも、Ｐ０とＰ１を前記の通り指定することによって、ステップＳ４０５での処理と同様に扱う。
【００２６】
＜ユーザー指定のグレイ算出＞
次に図１３のフローチャートと図１４の模式図を用いて、ステップＳ１２０１の処理であるユーザー指定のグレイの算出方法を説明する。ステップＳ１３０１では、色域圧縮後の出力プリンタの階調特性（グレイレベルと明度Ｊとの関係）を取得する。ステップＳ１３０２では、出力プリンタの紙白の色度点（ａｗ，ｂｗ）を取得する。ステップＳ１３０３では、出力プリンタの黒色の色度点（ａｋ，ｂｋ）を取得する。ステップＳ１３０４では、好適なグレイ記憶部１８から好適なグレイ色を取得する。ステップＳ１３０５では、色変わりのないグレイ色Ｇ‘を算出する。ここで、色変わりのないグレイ色Ｇ‘の詳細な説明を図１９を用いて詳細に説明する。図１９は、ＣＩＥＣＡＭ０２の色相平面上を表している。色変わりのないグレイ色Ｇ’は、好適なグレイ色Ｇを用いて、次のように表すものとする。好適なグレイ色Ｇから、ユーザーの選択したプリンタと用紙の組み合わせに対する白色Ｗと黒色ＢＫとを結ぶ線分に垂線を下ろした交点を色変わりのないグレイ色Ｇ‘としている。ステップＳ１３０６では、図１６のユーザーインタフェース中のスライドバー１６０７によってユーザーが指定したグレイ色を算出する。ステップＳ１３０６では、グレイレベルに関する色度点（ａＣ，ｂＣ）を算出する。グレイレベルに関する色度点（ａＣ，ｂＣ）は、例えば以下の式で求める。
【００２７】
グレイレベル（ＧＬ）
０〜１１２の時
ａＣ＝（ａｇ−ａｋ）／１１２ｘＧＬ＋ａｋ              式（７）
ｂＣ＝（ｂｇ−ｂｋ）／１１２ｘＧＬ＋ｂｋ              式（８）
１１２〜１９６の時（一定）
ａＣ＝０                                              式（９）
ｂＣ＝０                                              式（１０）
１９６〜２５５の時
ａＣ＝（ａｇ−ａｋ）／（２５５−１９６）ｘ（２５５−ＧＬ）＋ａｗ    式（１１）
ｂＣ＝（ｂｇ−ｂｋ）／（２５５−１９６）ｘ（２５５−ＧＬ）＋ｂｗ    式（１２）
上述した式を模式図で表したものが図１４である。本手法では、中間明度を式１１及び１２で与えられる色度点で再現する。また、ハイライト及びシャドウは、それぞれプリンタ特性の白色及び黒色の色度点と上記中間明度の色度点とを結ぶ直線上の色度点で再現する。
【００２８】
本実施例において、中間明度における色度点は、ＣＩＥＣＡＭ０２における無彩色としたが、これに限定しない。色変換の目的によって変化させてよいことは言うまでもない。
【００２９】
(第二の実施例)
図１６のユーザーインタフェースの変わりに図１７のようなユーザーインタフェースを用いて、グレイ色のユーザーの指定範囲の自由度を上げてもよい。図１７のユーザーインタフェースでは、グレイバランス調整を、赤みまたは緑み調整スライドバーと、黄みまたは青み調整スライドバーとの組み合わせで調整することが可能となる。該ユーザーインタフェースによるグレイバランス調整の詳細について、図１８を用いて詳細に説明する。図１８は、ＣＩＥＣＡＭ０２の色相平面を表している。ＳＴＵＶで囲まれた領域（図１８中の点線領域）は、ユーザーが指定可能なグレイ色である。例えば、図１７のグレイバランス調整のスライドバー調整を、赤みまたは緑み調整バーをー３の位置に設定し、黄みまたは青み調整バーを＋５に設定した場合は、図中Ｆがユーザー指定のグレイ色として算出することになる。本実施例では、ユーザーが指定可能な領域を、好適なグレイＧの色度座標からａ＊ｂ＊平面上で±１０の範囲としているが、これに限定しない。求める精度、目的に応じて変化させてよいことは言うまでもない。
【００３０】
＜色域圧縮処理＞
本実施例では、ステップＳ４０７に色域圧縮処理の一例を示したが、これに限定しない。入力色域の色を出力色域内の色の色差最小となる色に変換するなど、求める精度、目的に応じて変化させてよいことは言うまでもない。
【００３１】
＜色空間＞
本実施例では、異なる色再現範囲を持つ第1の画像機器と第１の画像機器よりも狭い色域をもつ第2の画像機器との間でのカラーマッチングにおいて、使用する色空間をＣＩＥＣＡＭ０２としたが、これに限定しない。求める精度、目的に応じて変化させてよいことは言うまでもない。
【００３２】
＜記憶媒体＞
なお、本発明は、複数の機器(例えばホストコンピュータ、インタフェイス機器、リーダ、プリンタなど)から構成されるシステムに適用しても、一つの機器からなる装置(例えば、複写機、ファクシミリ装置など)に適用しても良い。
【００３３】
また、本発明の目的は、前述した実施形態の機能を実現するソフトウェアのプログラムコードを記録した記憶媒体を、システムあるいは装置に供給し、そのシステムあるいは装置のコンピュータ(またはCPUまたはMPU)が記憶媒体に格納されたプログラムコードを読み出し実行することによっても達成されることは言うまでもない。
【００３４】
この場合、記憶媒体から読み出されたプログラムコード自体が前述した実施形態の機能を実現することになり、そのプログラムコードを記憶した記憶媒体は本発明を構成することになる。
【００３５】
プログラムコードを供給するための記憶媒体としては、例えば、フレキシブルディスク、ハードディスク、光ディスク、光磁気ディスク、CD-ROM、CD-R、磁気テープ、不揮発性のメモリカード、ROMなどを用いることが出来る。
【００３６】
また、コンピュータが読み出したプログラムコードを実行することにより、前述した実施形態の機能が実現されるだけでなく、そのプログラムコードの指示に基づき、コンピュータ上で稼動しているOS(オペレーティングシステム)などが実際の処理の一部を行い、その処理によって前述した実施形態の機能が実現される場合も含まれることは言うまでもない。
【００３７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるCPUなどが実際の処理の一部または全部を行い、その処理によって前述した実施形態の機能が実現される場合も含まれることは言うまでもない。
【図面の簡単な説明】
【００３８】
【図１】実施例１における画像処理装置のブロック図。
【図２】実施例１における画像処理装置の流れを説明するフローチャート。
【図３】モニタとプリンタの色再現範囲と無彩色軸の違いを説明する図。
【図４】プリンタの用紙による色再現範囲と無彩色軸の違いを説明する図。
【図５】機器依存無彩色変換部８処理を説明するフローチャート。
【図６】補正領域Ｒｅの算出方法。
【図７】機器依存無彩色変換部８処理の模式図。
【図８】補正領域Ｒｅの模式図。
【図９】色域圧縮処理を説明するフローチャート。
【図１０】色域圧縮を説明する模式図。
【図１１】色域圧縮処理使用する彩度圧縮関数を説明する図。
【図１２】明度軸上の色を好適なグレイへ修正する処理を説明する図。
【図１３】プリンタ特性に好適なグレイ算出処理を説明する図。
【図１４】好適なグレイの模式図。
【図１５】実施例１におけるユーザーインタフェースの一例。
【図１６】実施例１におけるユーザーインタフェースの一例。
【図１７】実施例２におけるユーザーインタフェースの一例。
【図１８】図１７のユーザーインタフェースを使用した時の色度平面上でのグレイの動作を説明する図。
【図１９】図１６のユーザーインタフェースを使用した時の色度平面上でのグレイの動作を説明する図。
【図１】
2008072207.tif 000003
【図２】
2008072207.tif 000004
【図３】
2008072207.tif 000005
【図４】
2008072207.tif 000006
【図５】
2008072207.tif 000007
【図６】
2008072207.tif 000008
【図７】
2008072207.tif 000009
【図８】
2008072207.tif 000010
【図９】
2008072207.tif 000011
【図１０】
2008072207.tif 000012
【図１１】
2008072207.tif 000013
【図１２】
2008072207.tif 000014
【図１３】
2008072207.tif 000015
【図１４】
2008072207.tif 000016
【図１５】
2008072207.tif 000017
【図１６】
2008072207.tif 000018
【図１７】
2008072207.tif 000019
【図１８】
2008072207.tif 000020
【図１９】
2008072207.tif 000021